(57)【要約】【課題】祭壇として使用できる、棺を収納するケースにおいて、分解できるようにして、持ち運びが便利なケースを提供することを目的とする。【解決手段】棺２を収納するケース１であって、該ケース１は、該ケース１を構成する板部１ａ、１ｂがそれぞれ分離可能に形成されていると共に、外表面が装飾されている。また、前記ケース１は、一方の側部が開口した直方体状の箱体と、該側部を開閉自在に塞ぐ蓋部７とよりなり、該箱体の内部の底部には、棺２を移動自在に支持するローラー部１１が設けられている。【選択図】図４
2015109897.tif 000002
【特許請求の範囲】
【請求項１】
棺を収納するケースであって、該ケースは、該ケースを構成する板部がそれぞれ分離可能に形成されていると共に、外表面が装飾されていることを特徴とする棺収納ケース。
【請求項２】
前記ケースは、持ち運び可能な、底部が開放した箱体よりなることを特徴とする請求項１記載の棺収納ケース。
【請求項３】
前記ケースは、一方の側部が開口した直方体状の箱体と、該側部を開閉自在に塞ぐ蓋部とよりなり、該箱体の内部の底部には、棺を移動自在に支持するローラー部が設けられていることを特徴とする請求項１記載の棺収納ケース。
【請求項４】
前記ケースを移動自在に載置する台を更に有することを特徴とする請求項３記載の棺収納ケース。
【請求項５】
前記箱体の天板部には、開口部と、該開口部を塞ぐ扉部が設けられていることを特徴とする請求項２乃至４のいずれか１に記載の棺収納ケース。
【発明の詳細な説明】
【技術分野】
【０００１】
本発明は棺収納ケース、特に、お通夜、告別式などの葬儀において、祭壇として利用される、又は、祭壇前に置かれたりしても違和感のない、遺体が収納された棺を収納するケースに関するものである。
【背景技術】
【０００２】
棺は、火葬場で焼かれることもあって、外表面に装飾のない簡素なものであるから、祭壇の前に置かれた場合には、厳かさや高級感に欠ける場合がある。
【０００３】
そこで、棺の外表面に模様を施したり、可燃性の装飾物を設けたりして、祭壇の前においても、違和感がないようにしたものがある（特許文献１）。
【０００４】
また、棺を祭壇内に安置するようにしたものもある（特許文献２）。
【先行技術文献】
【特許文献】
【０００５】
【特許文献１】特開２０１２−２１７５２８号公報
【特許文献２】実開昭６２−１５０９８３号公報
【発明の概要】
【発明が解決しようとする課題】
【０００６】
しかしながら、棺の外表面に模様を施したり、可燃性の装飾物を設けたりした棺は高価となり、棺ごとに装飾しなければならないという欠点があった。
【０００７】
また、祭壇内に安置したものは、最後のお別れを惜しむ人に遺体を見せることができないという欠点があった。
【０００８】
本発明は、これらの問題を解消すると共に、祭壇としても利用できて、荘厳さを失うことなく簡素な葬儀を実現できる棺収納ケースにおいて、分解できるようにして、持ち運びが便利な棺収納ケースを提供することを目的とする。
【課題を解決するための手段】
【０００９】
本発明は前記の目的を達成すべく、棺を収納するケースであって、該ケースは、該ケースを構成する板部がそれぞれ分離可能に形成されていると共に、外表面が装飾されている。
【発明の効果】
【００１０】
本発明の棺収納ケースによれば、棺収納ケースを分解できるので、持ち運びが便利になる。
【図面の簡単な説明】
【００１１】
【図１】本発明の第１実施例の棺収納ケースの斜視図である。
【図２】該棺収納ケースの横断面図である。
【図３】該棺収納ケースを棺に被せる状態を示す横断面図である。
【図４】該棺収納ケースの分解斜視図である。
【図５】該ケースの各板部の結合状態を説明する平面図である。
【図６】該ケースの各板部の結合状態を説明する縦断面図である。
【図７】該ケースの各板部の結合状態を説明する縦断面図である。
【図８】該ケースの天板部の背面図である。
【図９】本発明の第２実施例の棺収納ケースの斜視図である。
【図１０】該棺収納ケースの横断面図である。
【図１１】該棺収納ケースの内部の平面図である。
【図１２】該棺収納ケースへ棺を入れている状態を示す斜視図である。
【図１３】同状態を示す棺収納ケースの内部の平面図である。
【図１４】該棺収納ケースで扉体を開放した状態を示す斜視図である。
【発明を実施するための形態】
【００１２】
以下、図面によって本発明の実施例を説明する。
【実施例１】
【００１３】
本発明の棺収納ケースの実施例１を図１乃至図８によって説明する。
【００１４】
１は、本発明の第１実施例の棺収納ケースを示し、該棺収納ケース１は、矩形状の天板部１ａと、該天板部１ａの全端辺に連設した側板部１ｂとからなる直方体状の箱体よりなり、底部１ｃが開口している。そして、前記底部１ｃは、棺２を挿入できる大きさに開口されると共に、前記棺収納ケース１の内部に、棺２を収納できる空間部３が形成されている。
【００１５】
また、前記棺収納ケース１の外表面は、祭壇として使用できるように、又は、祭壇の前に置いても違和感がないように、厳かさや高級感にあふれた形状、塗装や模様などの装飾が施されている。
【００１６】
また、前記棺収納ケース１は、前記棺２よりも若干大きい程度に形成され、少なくとも大人２人であれば持ち運べる大きさ、重さに形成されている。
【００１７】
また、４は、扉部を示し、該扉部４は、前記天板部１ａの一端部に形成した開口部５を塞いだり、開放したりできるように形成されている。
【００１８】
なお、前記扉部４はヒンジにより開閉自在にしてもよく、又は、開口部５から取り外し自在に設けてもよい。
【００１９】
また、前記開口部５から扉部４を取り外した後に、透明板（図示せず）で、前記開口部５を塞ぐようにして、中が見えるようにしてもよい。また、前記扉部４には、中が見えるように、窓部を設けていてもよい。
【００２０】
次に本実施例１の棺収納ケースの使用方法及びその効果について説明する。
【００２１】
例えば、前記棺収納ケース１を祭壇として使用する場合には、図３に示すように、棺２に、前記棺収納ケース１を上から被せる。これにより、祭壇と棺とを並置する必要がないので、省スペース化を図ることもできる。
【００２２】
また、祭壇の前に棺２を置くような場合にも、祭壇の前に置いた棺２上に、前記棺収納ケース１を上から被せる。これにより、祭壇の前に置いた場合でも、厳かさや高級感を保てる。
【００２３】
そして、お通夜や、告別式などの葬儀を行う。
【００２４】
また、棺２内の遺体の顔をみる場合には、前記扉部４を開放する。なお、前記棺２に前記棺収納ケース１を被せる前に、該棺１の窓部を、予め開放しておく。
【００２５】
葬儀が終わった場合には、前記棺収納ケース１を持ち上げて、前記棺２から取り外し、前記棺２のみを火葬場に運ぶ。これにより、該棺収納ケース１は、棺２と共に火葬する必要がないので、他の葬儀において使用でき、費用を安くすることができるようになる。
【００２６】
更に、前記棺収納ケース１は、該ケース１を構成する、天板部と側板部との各板部をそれぞれ分離可能に形成し、該棺収納ケースを分解して持ち運びが容易にできる。
【００２７】
即ち、図４及び図５に示すように、前記側板部１ｂの長辺側の各側板部１５の両側端面１５ａ、１５ａに、それぞれ上下方向に延びる、例えば、断面台形上の凸部１６を設けると共に、図４及び図６に示すように、前記長辺側の各側板部１５の上端面１５ｂに長手方向に延びる、断面矩形状の凸部１７を設ける。
【００２８】
また、図４及び図５に示すように、前記側板部１ｂの短辺側の各側板部１８の内側面の両側部１８ａ、１８ａに、前記凸部１６が嵌合可能な上下方向に延びる、断面台形状の溝部１９をそれぞれ設けると共に、図４及び図７に示すように、前記短辺側の各側板部１８の上端面１８ｂに長手方向に延びる、断面矩形状の凸部２０を設ける。
【００２９】
また、図６〜図８に示すように、前記天板部１ａの下側面の周囲に沿って、前記凸部１７及び凸部２０がそれぞれ嵌合可能な、断面矩形状の環状の溝部２１を設ける。
【００３０】
なお、２２は、取付金具を示し、該取付金具２２を用いて、棺収納ケース１の裏側から、各板部１５、１８、１ａ間をネジ止め等することにより、各板部１５、１８、１ａを固定するようにする。
【００３１】
そして、棺収納ケース１の組み立てにおいては、前記短辺側の各側板部１８の溝部１９に、その一端側から、前記長辺側の各側板部１５の凸部１６をそれぞれ挿入しスライドさせて嵌め込むと共に、該短辺側の各側板部１８の上端面１８ｂの凸部２０及び該長辺側の各側板部１５の上端面１５ｂの凸部１７を、前記天板部１ａの溝部２１に嵌め込むことにより、前記棺収納ケース１を組み立てることができ、そして、前記取付金具２２により、各板部１５、１８、１ａが固定されるようなる。
【００３２】
また、前記棺収納ケース１を分解する場合に、各板部１５、１８、１ａから各取付金具２２を取り外すとともに、前記天板部１ａの溝部２１から、前記短辺側の各側板部１８の上端面１８ｂの凸部２０及び前記長辺側の各側板部１５の上端面１５ｂの凸部１７を外し、前記短辺側の各側板部１８の溝部１９から、前記長辺側の側板部１５の凸部１６をそれぞれスライドさせて取り外して、各板部１５、１８、１ａを分離する。
【００３３】
そして、それぞれ各板部１５、１８、１ａに分解できるので、持ち運びが便利になる。
【実施例２】
【００３４】
本発明の実施例２の棺収納ケースを図９乃至図１３によって説明する。
【００３５】
６は、本発明の第２実施例の棺収納ケースを示し、該棺収納ケース６は、矩形状の天板部６ａと、該天板部６ａの端辺のうち一方の短辺を除いた、２つの長辺及び他方の短辺に連設した側板部６ｂと、該各側板部６ｂの下端を閉塞した直方体状の箱体であり、その一方の側部には、開口部６ｄが形成され、該開口部６ｄには、開閉自在の蓋部７が設けられている。
【００３６】
そして、前記開口部６ｄは、棺２を挿入できる大きさに形成されると共に、前記収納ケース６の内部に、棺２を収納できる空間部８が形成されている。
【００３７】
また、前記収納ケース６外表面は、祭壇として使用できるように、又は、祭壇の前に置いても違和感がないように、厳かさや高級感にあふれた形状、塗装や模様などの装飾が施されている。
【００３８】
９は、扉部を示し、該扉部９は、例えば、３つの扉部９よりなり、該扉部９は、前記天板部６ａに形成した開口部１０を塞いだり、開放したりできるように形成されている。
【００３９】
なお、前記各扉部９はそれぞれヒンジにより開閉自在にしてもよく、又は、開口部１０から取り外し自在に設けてもよい。
【００４０】
また、前記開口部１０の一端側の扉部９を取り外した後に、透明板（図示せず）で、前記開口部１０を塞ぐようにし、中が見えるようにしてもよい。また、前記扉部９には、中が見えるように、窓部を設けていてもよい。
【００４１】
１１は、ローラー部であり、該ローラー部１１は、前記棺収納ケース６の内部の底部に長手方向に並列して複数設けられ、前記開口部６ｄから挿入された棺２を、前記棺収納ケース６の奥まで容易に移動自在に支持する。
【００４２】
１２は、前記棺収納ケース６を支持する台であり、該台１２は、複数の直方体状の箱体よりなり、該各台１２の底面には、移動手段としての、例えば、球状の回転体からなるキャスター１３が設けられ、移動自在に形成されている。
【００４３】
次に本実施例２の棺収納ケース６の使用方法及びその効果について説明する。
【００４４】
図１２及び図１３に示すように、前記台１２上に載置した前記棺収納ケース６から蓋部７を取り外して、開口部６ｄを開放し、該開口部６ｄから、該棺収納ケース６内に棺２を挿入し、前記ローラー体１１上に載置し、奥まで移動させる。そして、蓋部７を塞ぐ。
【００４５】
そして、例えば、前記棺収納ケース６を祭壇として使用する場合には、棺収納ケース６を載置した台１２を、所定の祭壇の設置場所まで移動させる。これにより、祭壇と棺とを並置する必要がないので、省スペース化を図ることができる。また、前記台１２により容易に棺収納ケース６を移動できるようになる。
【００４６】
また、前記棺収納ケース６を祭壇の前に置くような場合にも、棺収納ケース６を載置した台１２を、所定の祭壇の前まで移動させる。これにより、祭壇の前に置いた場合でも、厳かさや高級感を保てる。
【００４７】
なお、前記棺収納ケース６を所定の場所に移動してから、前記棺２を該棺収納ケース６内に挿入するようにしてもよい。
【００４８】
そして、お通夜や、告別式などの葬儀を行う。
【００４９】
また、棺２内の遺体を見られるようにする場合には、図１４に示すように、前記扉部９を開放する。なお、１４は、前記扉部９を開放した位置に支持するための、支持棒である。
【００５０】
なお、前記棺２を前記棺収納ケースに挿入する前には、該棺の窓部を、予め開放しておく。また、前記扉部９を取り外した後、透明板で塞ぐようにしてもよい。
【００５１】
葬儀が終わった場合には、前記蓋部７を前記棺収納ケース６から取り外し、ローラー部を利用して、棺を取り外し、棺２のみを火葬場に運ぶ。これにより、該棺収納ケース６は、棺２と共に火葬する必要がないので、他の葬儀において使用でき、費用を安くすることができるようになる。
【００５２】
なお、該棺収納ケース６も、実施例１のように分解して、各箱体をそれぞれ各板部に分離できるようにして、各板部を持ち運べるように形成されている。
【産業上の利用可能性】
【００５３】
本発明の棺収納ケースは、お通夜や告別式などの葬儀において用いられる。
【符号の説明】
【００５４】
１      棺収納ケース
１ａ    天板部
１ｂ    側板部
１ｃ    底部
２      棺
３      空間部
４      扉部
５      開口部
６      棺収納ケース
６ａ    天板部
６ｂ    側板部
６ｃ    底板部
６ｄ    開口部
７      蓋部
８      空間部
９      扉部
１０    開口部
１１    ローラー部
１２    台
１３    キャスター
１４    支持棒
１５    長辺側の側板部
１５ａ  側端面
１５ｂ  上端面
１６    凸部
１７    凸部
１８    短辺側の側板部
１９    溝部
２０    凸部
２１    溝部
【図１】
2015109897.tif 000003
【図２】
2015109897.tif 000004
【図３】
2015109897.tif 000005
【図４】
2015109897.tif 000006
【図５】
2015109897.tif 000007
【図６】
2015109897.tif 000008
【図７】
2015109897.tif 000009
【図８】
2015109897.tif 000010
【図９】
2015109897.tif 000011
【図１０】
2015109897.tif 000012
【図１１】
2015109897.tif 000013
【図１２】
2015109897.tif 000014
【図１３】
2015109897.tif 000015
【図１４】
2015109897.tif 000016